(57)【要約】【課題】  ユーザ操作履歴にメニューの遷移履歴を表示し操作性向上を図る携帯端末を提供することを目的とする。【解決手段】  メニュー操作履歴制御部７は、メニューの遷移履歴を含む操作履歴をメニュー操作履歴記憶部６に保存し、メニュー制御部５によりメニューの遷移履歴を含む操作履歴一覧を表示制御部３からディスプレイ部１に表示させ、操作キー部２からの操作によりメニューの遷移履歴の項目から所望のメニュー項目が選択されることで、選択されたメニュー項目のある階層の画面に遷移させ、又は設定機能を起動させる。【選択図】        図２
2008293243.tif 000002
【特許請求の範囲】
【請求項１】
表示画面と、
この表示画面に表示される画面に応じて操作される操作キー部と、
この操作キー部の操作によるメニューの遷移履歴情報を記憶する操作履歴記憶部と、
この操作履歴記憶部に記憶された前記メニューの遷移履歴情報に基づいて、前記メニューの遷移履歴情報を前記表示画面に表示させ、前記操作キー部からの操作に応じて前記メニューの遷移履歴情報を表示する画面から所望のメニューの画面に遷移させる表示制御部を備える携帯端末。
【請求項２】
メニューの遷移履歴情報を表示する画面は、操作履歴リストを表示する画面であることを特徴とする請求項１に記載の携帯端末。
【請求項３】
メニューの遷移履歴情報を表示する画面は、操作メニュー項目を表示する画面であることを特徴とする請求項１に記載の携帯端末。
【請求項４】
操作メニュー項目を表示する画面は、前記メニュー項目の文字サイズを制御して遷移履歴情報を表示することを特徴とする請求項３に記載の携帯端末。
【請求項５】
操作メニュー項目を表示する画面は、前記メニュー項目の色を制御して遷移履歴情報を表示することを特徴とする請求項３に記載の携帯端末。
【請求項６】
表示制御部は、メニューの遷移が所定回数以上のメニューの遷移履歴情報を操作履歴記憶部に記憶することを特徴とする請求項１乃至請求項５のいずれかに記載の携帯端末。
【発明の詳細な説明】
【技術分野】
【０００１】
本発明は、携帯電話機等の携帯端末に関し、特にユーザの操作履歴を利用して入力する携帯端末に関するものである。
【背景技術】
【０００２】
携帯電話機では、携帯端末におけるメニューの操作性向上を目的として、ユーザによる操作実績のある機能を、視認性を向上させたり、動作実績をリスト化することにより再度選択し易くする機能等を備える。
【０００３】
非特許文献１は、ユーザの操作履歴を用いた携帯端末機能の一例であり、ユーザが操作選択したメニュー項目を記録して、最近の記録データをリスト化し表示する携帯端末を開示している。また、特許文献１は、ユーザの操作管理プログラムについての一例であり、異常処理時のデバック用として、ユーザのキー入力を記録しリスト化することによりキー操作履歴を表示するプログラムを開示している。
【０００４】
【非特許文献１】ホームページ、インターネット＜ＵＲＬ：http://www.n-keitai.com/pickup/n903i/main.html＞
【特許文献１】特開２００３−３６１３０号公報（０００９〜００５０段、図３）
【発明の開示】
【発明が解決しようとする課題】
【０００５】
しかしながら、上記従来の携帯端末では、メニュー機能において、階層が深いメニュー項目等が存在し、後で再設定を行いたい場合に、再度同じメニュー遷移を辿る必要がある。階層が深い為にユーザ自身がどのようなメニュー操作をしたか忘れてしまう時もあり、結果的に操作に時間がかかる問題があった。ショートカットメニューに登録して利用する方法もあるが、その為にはユーザが手動で設定しなければならないという問題があった。
【０００６】
非特許文献１では、ユーザの操作履歴から選択したメニューを起動させることはできるが、途中のメニューの遷移情報はわからず、例えば誤操作が原因で再操作を行う場合は誤操作先しか記録されていない為に、使用できないという問題があった。
【０００７】
特許文献１では、ユーザのキー入力の記録をリスト化することによりキー操作の履歴を把握できても、メニュー項目をどうのように選択したかについては把握が困難であるといった問題があった。
【０００８】
本発明は、上記のような問題を解決するためになされたものであり、ユーザの操作履歴にメニューの遷移履歴を表示し操作性向上を図る携帯端末を提供することを目的とする。
【課題を解決するための手段】
【０００９】
本発明に係る携帯端末は、表示画面と、表示画面に表示される画面に応じて操作される操作キー部と、操作キー部の操作によるメニューの遷移履歴情報を記憶する操作履歴記憶部と、操作履歴記憶部に記憶されたメニューの遷移履歴情報に基づいて、メニューの遷移履歴情報を表示画面に表示させ、操作キー部からの操作に応じてメニューの遷移履歴情報を表示する画面から所望のメニューの画面に遷移させる表示制御部を備えるものである。
【発明の効果】
【００１０】
本発明によれば、ユーザの操作履歴にメニューの遷移履歴を表示することにより、メニューの遷移履歴を容易に確認でき、簡単な操作で所望の操作画面に遷移して操作できる。
【発明を実施するための最良の形態】
【００１１】
以下、本発明に係る携帯端末の各種実施の形態について、図面に基づいて説明する。
実施の形態１．
図１は、本実施の形態１における携帯端末１０１の構成を示す外観正面図である。図１において、１は表示画面としてのディスプレイ部で、２は操作キー部である。なお、携帯端末は、ディスプレイ部１と操作キー部２が含まれていればよく、携帯端末の形状（二つ折れ形状、スライド形状、ストレート形状等）は問わない。
【００１２】
図２は、本実施の形態１における携帯端末１０１の構成を示すブロック図を示す。１はディスプレイ部、３は表示制御部であり、ディスプレイ部１に表示する内容を制御する。２は操作キー部であり、携帯端末使用者からの手入力を受け付ける。４はキー制御部であり、操作キー部２からの入力情報を制御する。５はメニュー制御部であり、各階層のメニューを表示・制御し、操作履歴を操作履歴記憶部としてのメニュー操作履歴記憶部６に保存する。７は表示制御部としてのメニュー操作履歴制御部であり、メニュー操作履歴記憶部６に保存されている内容を管理し、キー制御部４からの指示によりディスプレイ部１に表示する。
【００１３】
図３には、携帯端末１０１のメニュー項目の構成例を示す。図３では第１階層乃至第４階層までのメニュー構成からなる。例えば、新規メールを作成したい場合は［メール］、［新規メール］と順にメニュー項目を選択していけば良く（項番２−３）、電話着信音を設定したい場合は［設定］、［音/バイブ］、［音設定］、［電話着信音］と順にメニュー項目を選択していけば良い（項番４−１）。各最終階層が機能を設定するメニュー項目となる。
【００１４】
次に動作について説明する。図４は、図３に示すメニュー構成例で［アラーム音］を設定する場合（項番４−３）の流れを示すフローチャートである。まず、携帯端末１０１のディスプレイ部１の表示が初期画面の状態で、操作キー部２からキー制御部４にメニュー画面を表示させる入力指示があると、メニュー制御部５は、表示制御部３によりディスプレイ部１に第１階層のメニュー画面を表示させる（ＳＴ１）。
【００１５】
続いて、第１階層のメニュー項目である［電話帳／履歴］、［メール］、［ツール］、［設定］、［操作履歴一覧］に対応する操作キー部２からの入力操作により、キー制御部４に［設定］を選択する指示があると（ＳＴ２）、メニュー制御部５は、選択されたメニュー項目が機能を設定するメニュー項目であるか、遷移途中のメニュー項目かを判断する（ＳＴ３）。
【００１６】
［設定］は遷移途中のメニュー項目であることから（図３）、メニュー制御部５は、メニュー画面を第２階層に遷移させ、表示制御部３によりディスプレイ部１に第２階層のメニュー画面を表示させる（ＳＴ１）。次いで、第２階層のメニュー項目である［音／バイブ］、［ディスプレイ］、［ロック］に対応する操作キー部２からの入力操作により、キー制御部４に［音／バイブ］を選択する指示があると（ＳＴ２）、メニュー制御部５は、選択されたメニュー項目が機能を設定するメニュー項目であるか、遷移途中のメニュー項目かを判断する（ＳＴ３）。
【００１７】
［音／バイブ］は遷移途中のメニュー項目であることから（図３）、メニュー制御部５は、メニュー画面を第３階層に遷移させ、表示制御部３によりディスプレイ部１に第３階層のメニュー画面を表示させる（ＳＴ１）。次いで、第３階層のメニュー項目である［音設定］、［バイブ設定］に対応する操作キー部２からの入力操作により、キー制御部４に［音／バイブ］を選択する指示があると（ＳＴ２）、メニュー制御部５は、選択されたメニュー項目が機能を設定するメニュー項目であるか、遷移途中のメニュー項目かを判断する（ＳＴ３）。
【００１８】
［音設定］は遷移途中のメニュー項目であることから（図３）、メニュー制御部５は、メニュー画面を第４階層に遷移させ、表示制御部３によりディスプレイ部１に第４階層のメニュー画面を表示させる（ＳＴ１）。次いで、第４階層のメニュー項目である［電話着信音］、［メール着信音］、［アラーム音］に対応する操作キー部２からの入力操作により、キー制御部４に［アラーム音］を選択する指示があると（ＳＴ２）、メニュー制御部５は、選択されたメニュー項目が機能を設定するメニュー項目であるか、遷移途中のメニュー項目かを判断する（ＳＴ３）。
【００１９】
［アラーム音］は機能を設定するメニュー項目であることから（図３）、メニュー制御部５は、次に、選択された機能を設定するメニュー項目の階層数（ＴＴ）が所定の値以上であるか否かを判断する（ＳＴ４）。本実施の形態１では、第３階層以上であるか否かを判断し、第３階層以上の場合は操作履歴をメニュー操作履歴記憶部６に保存し、第３階層未満の場合は保存せずに、選択機能を起動する（ＳＴ６）。
【００２０】
操作履歴に保存される機能を設定するメニュー項目の階層数を制限することにより、比較的容易に起動できる機能を設定するメニュー項目（例えば、項番１−１や項番５−１等）が操作履歴に保存されることを防ぐことができる。
【００２１】
［アラーム音］は第４階層のメニュー項目であることから（図３）、メニュー制御部５は、上記の操作履歴をメニュー操作履歴記憶部６に保存（ＳＴ５）した後、［アラーム音］の設定機能が起動される（ＳＴ６）。
【００２２】
次に、［アラーム音］の設定を終了しディスプレイ部１の表示を初期画面に戻した後、再度、メニュー画面を表示させ、［操作履歴一覧］（図３、項番５−１）を選択する指示を操作キー部２に入力すると、図５に示される操作履歴一覧の画面が表示される。
【００２３】
メニュー操作履歴制御部７は、操作キー部２からの［操作履歴一覧］を選択する指示をキー制御部４から受けると、メニュー操作履歴記憶部６に記憶する、直前までの操作履歴を表示制御部３によりディスプレイ部１に表示させる。操作履歴には、メニューの遷移履歴も含まれる。メニュー操作履歴記憶部６には、所定数の操作履歴が記憶されており、本実施の形態１では、３件の操作履歴を表示する場合について示している。
【００２４】
図５に示すように、Ｔ１には直前に起動させた上記の［アラーム音］の設定機能の操作履歴が表示されている。Ｔ２には［アラーム音］の設定の前に起動させた、メールの［着信設定］の操作履歴が表示されている。［着信設定］の設定の前に操作履歴がない場合は、Ｔ３のように操作履歴は表示されない。
【００２５】
図５において、カーソルＡは、対応する操作キー２の上下キーによってＴ１、Ｔ２、及びＴ３の各領域を移動する。図６は、図５のＴ１の領域を拡大した図である。カーソルＡがＴ１の位置にあるときは、カーソルＢは、対応する操作キー２の左右キーによって図６に示される遷移履歴の各項目（Ｓ１乃至Ｓ４）を移動する。
【００２６】
例えば、カーソルＡをＴ１の位置に移動し、続いてカーソルＢを移動してＳ４の項目である［アラーム］の位置にある状態で、操作キー２の選択キーが押された場合は、［アラーム音］の設定機能が起動する。カーソルＢがＳ２の項目である［音／バイブ］の位置にある状態で選択キーが押された場合は、［音／バイブ］のメニューがある第３階層のメニュー項目（図３参照）が表示される。
【００２７】
以上のように、本実施の形態１では、メニュー操作履歴制御部７により、メニュー操作履歴記憶部６にメニューの遷移履歴を含む操作履歴を保存し、ユーザの操作履歴一覧の表示においてメニューの遷移履歴を表示するようにしたので、メニューの遷移履歴を容易に確認できる。また、表示するメニューの遷移履歴の各項目を選択することにより各項目のあるメニュー項目の階層の画面に遷移し、又は設定機能を起動するようにしたので、簡単な操作でメニューの遷移履歴途中の所望のメニュー画面に遷移して操作できる。
【００２８】
また、機能を設定するメニュー項目の階層数が深い操作履歴を保存するようにしたので、機能を設定するメニュー項目の階層数が少なく容易に起動できる機能項目が保存されることを防ぐことができる。
【００２９】
実施の形態２．
実施の形態１においては、［操作履歴一覧］を表示してメニューの遷移履歴を含む操作履歴を確認する場合について示した。実施の形態２では、［操作履歴一覧］を表示せずにメニュー表示の中でメニューの遷移履歴を確認する場合について示す。
【００３０】
図７は、本発明の実施の形態２における携帯端末１０２の構成を示すブロック図を示す。実施の形態２は、実施の形態１におけるメニュー操作履歴制御部７の代わりに、操作履歴制御部としての文字サイズ制御部８を備えたものである。文字サイズ制御部８は、メニュー操作履歴記憶部６に保存されている操作履歴に基づいてメニュー項目毎の文字サイズ情報をメニュー制御部５に与える。その他の構成に関しては、実施の形態１と同様であり、相当部分には図１と同一符号を付して説明を省略する。
【００３１】
次に動作について説明する。［アラーム音］の設定（図３、項番４−３）については、実施の形態１の場合と同様に図４のフローチャートで示され、その説明を省略する。［アラーム音］の設定を終了しディスプレイ部１の表示を初期画面に戻した後、再度、メニュー画面を表示させると、本実施の形態２では、図８に示されるメニュー画面が表示される。図８（ａ）乃至図８（ｄ）は、それぞれメニュー項目の階層が第１階層乃至第４階層のメニュー画面を示す。
【００３２】
まず、メニュー画面を表示すると、図８（ａ）に示す第１階層のメニュー項目が表示される。図８（ａ）に示すように、文字サイズ制御部８は、メニュー操作履歴記憶部６に保存されている直前の操作履歴に基づいて、第１階層のメニュー項目である［電話帳／履歴］、［メール］、［ツール］、［設定］、［操作履歴一覧］のうち、［設定］のメニュー項目を通常の文字サイズより大きい所定のサイズで表示するように、メニュー制御部５に指示し、表示制御部３によりディスプレイ部１に表示させる。比較として、図９に、メニュー操作履歴記憶部６に操作履歴が保存されていない場合の、通常の第１階層のメニュー項目の表示画面を示す。
【００３３】
次に、図８（ａ）に示す第１階層のメニュー項目において、対応する操作キー２の上下キーによってカーソルを移動し、カーソルが［設定］のメニュー項目の位置にある状態で選択キーが押された場合は、図８（ｂ）に示す［設定］の第２階層のメニュー項目が表示される。
【００３４】
図８（ｂ）に示すように、文字サイズ制御部８は、メニュー操作履歴記憶部６に保存されている直前の操作履歴に基づいて、第２階層のメニュー項目である［音／バイブ］、［ディスプレイ］、［ロック］のうち、［音／バイブ］のメニュー項目を通常の文字サイズより大きい所定のサイズで表示するように、メニュー制御部５に指示し、表示制御部３によりディスプレイ部１に表示させる。
【００３５】
同様に、上記操作履歴に基づいてメニュー項目を選択すると、文字サイズ制御部８は、第３階層及び第４階層のメニュー画面においても、図８（ｃ）及び図８（ｄ）で示すように、それぞれの階層のメニュー項目で［音設定］、［アラーム音］のメニュー項目を通常の文字サイズより大きい所定のサイズで表示するように、メニュー制御部５に指示し、表示制御部３によりディスプレイ部１に表示させる。
【００３６】
以上のように、本実施の形態２では、文字サイズ制御部８により、メニュー操作履歴記憶部６にメニューの遷移履歴を含む操作履歴を保存し、メニュー画面の表示においてメニュー項目のうちメニューの遷移履歴に対応する項目の文字サイズを拡大して表示するようにしたので、ユーザの操作履歴一覧を表示することなく、メニュー画面でメニュー遷移履歴を容易に確認できる。また、メニュー画面から容易にメニュー遷移履歴を辿り、操作できる。
【００３７】
なお、本実施の形態２では、直前の操作履歴のみを表示する場合について示したが、これに限るものではない。例えば、新しい履歴の順に文字サイズを大きくすることにより、所望の数の操作履歴を表示することができる。
【００３８】
また、本実施の形態２では、文字サイズを拡大して表示する場合について示したが、これに限るものではない。例えば、書体を変えたり、太文字にすることによっても、メニューの遷移履歴を表示することができる。
【００３９】
実施の形態３．
実施の形態２においては、メニュー画面において操作履歴を、文字サイズを変えることにより表示する場合について示した。実施の形態３では、メニュー項目毎の色を変えて表示する場合について示す。
【００４０】
図１０は、本発明の実施の形態３における携帯端末１０３の構成を示すブロック図を示す。実施の形態３は、実施の形態２における文字サイズ制御部８の代わりに、操作履歴制御部としての色制御部９を備えたものである。色制御部９は、メニュー操作履歴記憶部６に保存されている操作履歴に基づいてメニュー項目毎の色情報をメニュー制御部５に与える。その他の構成に関しては、実施の形態１及び実施の形態２と同様であり、相当部分には図１と同一符号を付して説明を省略する。
【００４１】
次に動作について説明する。［アラーム音］の設定（図３、項番４−３）については、実施の形態１の場合と同様に図４のフローチャートで示され、その説明を省略する。［アラーム音］の設定を終了しディスプレイ部１の表示を初期画面に戻した後、再度、メニュー画面を表示させると、本実施の形態３では、図１１に示されるメニュー画面が表示される。図１１（ａ）乃至図１１（ｄ）は、それぞれメニュー項目の階層が第１階層乃至第４階層のメニュー画面を示す。
【００４２】
まず、メニュー画面を表示すると、図１１（ａ）に示す第１階層のメニュー項目が表示される。図１１（ａ）に示すように、色制御部９は、メニュー操作履歴記憶部６に保存されている直前の操作履歴に基づいて、第１階層のメニュー項目である［電話帳／履歴］、［メール］、［ツール］、［設定］、［操作履歴一覧］のうち、［設定］のメニュー項目の領域を他の項目の領域と異なる色で表示するように、メニュー制御部５に指示し、表示制御部３によりディスプレイ部１に表示させる。
【００４３】
次に、図１１（ａ）に示す第１階層のメニュー項目において、対応する操作キー２の上下キーによってカーソルを移動し、カーソルが［設定］のメニュー項目の位置にある状態で選択キーが押された場合は、図１１（ｂ）に示す［設定］の第２階層のメニュー項目が表示される。
【００４４】
図１１（ｂ）に示すように、色制御部９は、メニュー操作履歴記憶部６に保存されている直前の操作履歴に基づいて、第２階層のメニュー項目である［音／バイブ］、［ディスプレイ］、［ロック］のうち、［音／バイブ］のメニュー項目の領域を他の項目の領域と異なる色で表示するように、メニュー制御部５に指示し、表示制御部３によりディスプレイ部１に表示させる。
【００４５】
同様に、上記操作履歴に基づいてメニュー項目を選択すると、色制御部９は、第３階層及び第４階層のメニュー画面においても、図１１（ｃ）及び図１１（ｄ）で示すように、それぞれの階層のメニュー項目で［音設定］、［アラーム音］のメニュー項目の領域を他の項目の領域と異なる色で表示するように、メニュー制御部５に指示し、表示制御部３によりディスプレイ部１に表示させる。
【００４６】
以上のように、本実施の形態３では、色制御部９により、メニュー操作履歴記憶部６にメニューの遷移履歴を含む操作履歴を保存し、メニュー画面の表示においてメニュー項目のうちメニューの遷移履歴に対応する項目の領域の色を変えて表示するようにしたので、ユーザの操作履歴一覧を表示することなく、メニュー画面でメニューの遷移履歴を容易に確認でき、メニュー画面から容易にメニュー遷移履歴を辿り、操作できるだけでなく、携帯端末の画面領域・レイアウトに制限されずに効果的に表示できる。
【００４７】
なお、本実施の形態３では、直前の操作履歴のみを表示する場合について示したが、これに限るものではない。例えば、新しい履歴の順に色、濃淡等を変えることにより（例えば、黄、橙、赤等）、所望の数の操作履歴を表示することができる。
【００４８】
また、本実施の形態３では、メニュー項目の項の領域の色を変えて表示したが、これに限るものではない。例えば、文字自体の色を変えて表示することもできる。この場合も、同様の効果を得ることができる。
【図面の簡単な説明】
【００４９】
【図１】本発明に係る携帯端末の実施の形態１の構成を示す正面外観図である。
【図２】本発明に係る携帯端末の実施の形態１の構成を示すブロック図である。
【図３】本発明に係る携帯端末の実施の形態１のメニュー項目の構成例を示す図である。
【図４】本発明に係る携帯端末の実施の形態１の動作手順を示すフローチャート図である。
【図５】本発明に係る携帯端末の実施の形態１の操作履歴画面の表示例を示す図である。
【図６】本発明に係る携帯機器の実施の形態１の操作履歴の表示例を示す拡大図である。
【図７】本発明に係る携帯端末の実施の形態２の構成を示すブロック図である。
【図８】本発明に係る携帯端末の実施の形態２のメニュー画面の表示例を示す図である。
【図９】本発明に係る携帯端末の実施の形態２のメニュー画面の表示例を示す図である。
【図１０】本発明に係る携帯端末の実施の形態３の構成を示すブロック図である。
【図１１】本発明に係る携帯端末の実施の形態３のメニュー画面の表示例を示す図である。
【符号の説明】
【００５０】
１  ディスプレイ部
２  操作キー部
５  メニュー制御部
６  メニュー操作履歴記憶部
７  メニュー操作履歴制御部
８  文字サイズ制御部
９  色制御部
１０１、１０２、１０３  携帯端末
【図１】
2008293243.tif 000003
【図２】
2008293243.tif 000004
【図３】
2008293243.tif 000005
【図４】
2008293243.tif 000006
【図５】
2008293243.tif 000007
【図６】
2008293243.tif 000008
【図７】
2008293243.tif 000009
【図８】
2008293243.tif 000010
【図９】
2008293243.tif 000011
【図１０】
2008293243.tif 000012
【図１１】
2008293243.tif 000013